(57)【特許請求の範囲】
【請求項１】
画像を表示する表示部を含む携帯端末装置であって、
前記表示部の近傍の温度における前記表示部の表示応答時間と動画を構成する各動画用画像の表示インターバル時間とを基に、前記各動画用画像の前記表示部への表示を制御する制御手段を含み、
前記制御手段は、前記表示応答時間と前記各動画用画像のうち前記表示部に表示されている動画用画像の表示インターバル時間とを比較する比較手段を有し、その比較出力に応じて前記表示を制御し、前記表示されている動画用画像の表示インターバル時間が前記表示応答時間以上である旨を前記比較出力が示すとき、前記表示されている動画用画像の表示インターバル時間の経過後、前記各動画用画像のうち次に表示すべき動画用画像を表示するようにしたことを特徴とする携帯端末装置。
【請求項２】
前記制御手段は、前記温度と前記表示応答時間とを対応付けて保持する保持手段を有することを特徴とする請求項１記載の携帯端末装置。
【請求項３】
前記制御手段は、前記表示されている動画用画像の表示インターバル時間より前記表示応答時間が大である旨を前記比較出力が示すとき、前記次に表示すべき動画用画像を間引くようにしたことを特徴とする請求項１又は２記載の携帯端末装置。
【請求項４】
前記制御手段は、間引いた前記次に表示すべき動画用画像の表示インターバル時間を前記表示されている動画用画像の表示インターバル時間に加算し、前記比較手段は、その加算表示インターバル時間と前記表示応答時間とを比較するようにしたことを特徴とする請求項３記載の携帯端末装置。
【請求項５】
前記制御手段は、前記加算表示インターバル時間が前記表示応答時間以上である旨を前記比較出力が示すまで、順次、前記各動画用画像を間引くと共に間引いた前記各動画用画像の表示インターバル時間を前記加算表示インターバル時間に加算してそれを前記加算表示インターバル時間とするようにしたことを特徴とする請求項４記載の携帯端末装置。
【請求項６】
前記制御手段は、前記加算表示インターバル時間が前記表示応答時間以上である旨を前記比較出力が示すとき、前記表示されている動画用画像を前記加算表示インターバル時間が経過するまで表示するようにしたことを特徴とする請求項５記載の携帯端末装置。
【請求項７】
前記制御手段は、前記加算表示インターバル時間が前記表示応答時間以上である旨を前記比較出力が示すとき、前記加算表示インターバル時間の経過後に、前記各動画用画像のうち前記間引いた各動画用画像以外で次に表示すべき動画用画像を表示するようにしたことを特徴とする請求項６記載の携帯端末装置。
【請求項８】
前記各動画用画像は、通信回線を介して取得された画像であり、前記各動画用画像の表示インターバル時間は、その動画用画像の取得にかかった時間であることを特徴とする請求項１〜７いずれか記載の携帯端末装置。
【請求項９】
画像を表示する表示部を含む携帯端末装置における画像表示方法であって、
前記表示部の近傍の温度における前記表示部の表示応答時間と動画を構成する各動画用画像の表示インターバル時間とを基に、前記各動画用画像の前記表示部への表示を制御する制御ステップを含み、
前記制御ステップは、前記表示応答時間と前記各動画用画像のうち前記表示部に表示されている動画用画像の表示インターバル時間とを比較する比較ステップを有し、その比較結果に応じて前記表示を制御し、前記表示されている動画用画像の表示インターバル時間が前記表示応答時間以上である旨を前記比較結果が示すとき、前記表示されている動画用画像の表示インターバル時間の経過後、前記各動画用画像のうち次に表示すべき動画用画像を表示するようにしたことを特徴とする画像表示方法。
【請求項１０】
前記制御ステップは、前記表示されている動画用画像の表示インターバル時間より前記表示応答時間が大である旨を前記比較結果が示すとき、前記次に表示すべき動画用画像を間引くようにしたことを特徴とする請求項９記載の画像表示方法。
【請求項１１】
前記制御ステップは、間引いた前記次に表示すべき動画用画像の表示インターバル時間を前記表示されている動画用画像の表示インターバル時間に加算し、前記比較ステップは、その加算表示インターバル時間と前記表示応答時間とを比較するようにしたことを特徴とする請求項１０記載の画像表示方法。
【請求項１２】
前記制御ステップは、前記加算表示インターバル時間が前記表示応答時間以上である旨を前記比較結果が示すまで、順次、前記各動画用画像を間引くと共に間引いた前記各動画用画像の表示インターバル時間を前記加算表示インターバル時間に加算してそれを前記加算表示インターバル時間とするようにしたことを特徴とする請求項１１記載の画像表示方法。
【請求項１３】
前記制御ステップは、前記加算表示インターバル時間が前記表示応答時間以上である旨を前記比較結果が示すとき、前記表示されている動画用画像を前記加算表示インターバル時間が経過するまで表示するようにしたことを特徴とする請求項１２記載の画像表示方法。
【請求項１４】
前記制御ステップは、前記加算表示インターバル時間が前記表示応答時間以上である旨を前記比較結果が示すとき、前記加算表示インターバル時間の経過後に、前記各動画用画像のうち前記間引いた各動画用画像以外で次に表示すべき動画用画像を表示するようにしたことを特徴とする請求項１３記載の画像表示方法。
【請求項１５】
画像を表示する表示部を含む携帯端末装置における画像表示方法をコンピュータに実行させるためのプログラムであって、
前記表示部の近傍の温度における前記表示部の表示応答時間と動画を構成する各動画用画像の表示インターバル時間とを基に、前記各動画用画像の前記表示部への表示を制御する制御ステップを含み、
前記制御ステップは、前記表示応答時間と前記各動画用画像のうち前記表示部に表示されている動画用画像の表示インターバル時間とを比較する比較ステップを有し、その比較結果に応じて前記表示を制御し、前記表示されている動画用画像の表示インターバル時間が前記表示応答時間以上である旨を前記比較結果が示すとき、前記表示されている動画用画像の表示インターバル時間の経過後、前記各動画用画像のうち次に表示すべき動画用画像を表示するようにしたことを特徴とするプログラム。
【発明の詳細な説明】
【０００１】
【発明の属する技術分野】
本発明は携帯端末装置及びその画像表示方法並びにプログラムに関し、特に画像を表示する表示部を含む携帯端末装置及びその画像表示方法並びにプログラムに関する。
【０００２】
【従来の技術】
携帯端末装置は、電話（通話）機能の他に、メールやＷｅｂ（ウェブ）アクセス等、多彩な機能を持つようになってきている。そのため、携帯端末装置の表示器も大画面化、カラー化されてきている。これら表示器の多くにＬＣＤ（液晶ディスプレイ）が採用されていることが知られている。これから、Ｗ−ＣＤＭＡ（広帯域符号分割多元接続）方式，ＧＰＲＳ (General Packet Radio Service) と呼ばれる無線データ通信システム等により、携帯端末装置の通信速度が速くなり、動画配信も可能になってくる。
【０００３】
しかし、携帯端末装置は、その使用者によって携帯されるものであるので、外気に触れるような環境で使用されることが多い。従来の携帯端末装置では、その使用環境、特に低温下での使用時には、動画のコマを表示する間隔が常温での使用を考慮して設計されており、また、ＬＣＤの表示応答速度は低温下では著しく遅くなるという理由から、ＬＣＤに動画がきれいに表示されない（画面がぼやけたり、動画が流れて見える等）という問題がある。
【０００４】
かかる問題を解決すべくＬＣＤに様々な工夫を施した技術が特開平５−０５３１５２号公報，特開平８−３０４７７２号公報等に記載されているが、それらの技術を施したＬＣＤを搭載した携帯端末装置の市場での割合は決して多くはない。その理由は、ＬＣＤにそれらの技術を施した場合、コストが高くなるためである。
【０００５】
また、ＷＡＰ (Wireless Application Protocol)等に代表されるＷｅｂアクセスにより、様々な動画を自携帯端末装置にダウンロードする際に、自携帯端末装置の表示能力（白黒／カラー等）をサーバーに通知し、自携帯端末装置に最適な動画をダウンロードする事ができる仕組みがあるが、この場合でも、上記の問題は解決されない。その理由は、サーバーへの自携帯端末装置情報の通知に使用環境（温度）までは加味されていないためである。
【０００６】
また、低温下でＬＣＤの応答が悪くなることによる画質の劣化を改善すべく、特開平１−２３４８９６号公報（第１の公報）に、映像信号のフィールドをＬＣＤを設置している近傍の温度の関数として変化する所定回数毎に１回取り出して、これを低温で時間応答が劣化するＬＣＤに供給するようにした技術が記載されている。
【０００７】
【発明が解決しようとする課題】
しかし、上記第１の公報では、ＴＶ画像などの順次送られてくるデータを想定している。これに対して、携帯端末装置では、基本的には表示すべき画像データは自装置内に格納されている。したがって、上記第１の公報に記載の技術をそのまま携帯端末装置に適用することはできない。
【０００８】
また、小型化が要求される携帯端末装置では、画像データを格納するメモリのサイズに制限がある。そこで、携帯端末装置では、動画を構成する動画用画像データに、例えば、１コマ目は５００［ｍｓ］，２コマ目は１００［ｍｓ］，３コマ目は１００［ｍｓ］，４コマ目は１［ｓ］というように、表示インターバル時間の情報を付けてメモリに保存することで、使用メモリを削減する場合がある。すなわち、この場合では、メモリに保存する動画用画像データは４コマ分のデータで済むが、このような方法をとらないときには、例えば１００［ｍｓ／１コマ］で表示を更新すると仮定すると、１コマ目を５枚，２コマ目を１枚，３コマ目を１枚，４コマ目を１０枚、計１７コマ分のデータを保持する必要がある。
【０００９】
このような携帯端末装置で動画再生を行う場合に上記第１の公報に記載の技術を用いることを考える。図１０は上記第１の公報に記載の技術を携帯端末装置に適用したときのその動作を説明するための図である。図１０において、動画を構成する各動画用画像データは、動画用画像データＤ１（その表示インターバル時間は５００［ｍｓ］），動画用画像データＤ２（その表示インターバル時間は１００［ｍｓ］），動画用画像データＤ３（その表示インターバル時間は１００［ｍｓ］），動画用画像データＤ４（その表示インターバル時間は３００［ｍｓ］），動画用画像データＤ５（その表示インターバル時間は１［ｓ］）とする。
【００１０】
まず、各動画用画像データをＲＡＭ(Random Access Memory)に時間軸上に展開する。図１０（ａ）はその展開状態を示す図である（なお、この操作は上記第１の公報には記載されていない）。次に、ＬＣＤ近傍の温度の関数より動画用画像データを間引く時間間隔を決定する。ここで、決定された時間間隔を３００［ｍｓ］とする。そして、その決定された時間間隔で時間軸上に並べられた動画用画像データを間引いて、ＬＣＤに表示する。図１０（ｂ）はそのＬＣＤへの表示を示す図である。図１０（ｂ）に示すように、ＬＣＤにデータを７回設定することになる。なお、図１０（ｃ）はＬＣＤ近傍の温度を考慮しない場合のＬＣＤへの表示を示す図である。
【００１１】
このように、図１０（ｂ）では、表示インターバル時間の長い動画用画像データＤ１（５００［ｍｓ］）の直後の動画用画像データＤ２が表示されておらず、上記第１の公報に記載の技術では、温度の関数により決定された時間間隔で単に間引くようにしているので、その決定された時間間隔によって表示時間の長い動画用画像データの次の動画用画像データの表示の有無が変わってしまう。図１０（ｂ）のように表示時間の長いコマ直後のコマが表示されないと、コマ飛びが顕著にあらわれてしまうという問題がある。
【００１２】
本発明の目的は、低温下での使用に際して画質の劣化を抑えることができる携帯端末装置及びその画像表示方法並びにプログラムを提供することである。
【００１３】
【課題を解決するための手段】
本発明による携帯端末装置は、画像を表示する表示部を含む携帯端末装置であって、前記表示部の近傍の温度における前記表示部の表示応答時間と動画を構成する各動画用画像の表示インターバル時間とを基に、前記各動画用画像の前記表示部への表示を制御する制御手段を含み、前記制御手段は、前記表示応答時間と前記各動画用画像のうち前記表示部に表示されている動画用画像の表示インターバル時間とを比較する比較手段を有し、その比較出力に応じて前記表示を制御し、前記表示されている動画用画像の表示インターバル時間が前記表示応答時間以上である旨を前記比較出力が示すとき、前記表示されている動画用画像の表示インターバル時間の経過後、前記各動画用画像のうち次に表示すべき動画用画像を表示するようにしたことを特徴とする。
【００１５】
前記携帯端末装置において、前記制御手段は、前記温度と前記表示応答時間とを対応付けて保持する保持手段を有することを特徴とする。
【００１７】
また、前記携帯端末装置において、前記制御手段は、前記表示されている動画用画像の表示インターバル時間より前記表示応答時間が大である旨を前記比較出力が示すとき、前記次に表示すべき動画用画像を間引くようにしたことを特徴とする。また、前記携帯端末装置において、前記制御手段は、間引いた前記次に表示すべき動画用画像の表示インターバル時間を前記表示されている動画用画像の表示インターバル時間に加算し、前記比較手段は、その加算表示インターバル時間と前記表示応答時間とを比較するようにしたことを特徴とする。
【００１８】
またさらに、前記携帯端末装置において、前記制御手段は、前記加算表示インターバル時間が前記表示応答時間以上である旨を前記比較出力が示すまで、順次、前記各動画用画像を間引くと共に間引いた前記各動画用画像の表示インターバル時間を前記加算表示インターバル時間に加算してそれを前記加算表示インターバル時間とするようにしたことを特徴とする。また、前記携帯端末装置において、前記制御手段は、前記加算表示インターバル時間が前記表示応答時間以上である旨を前記比較出力が示すとき、前記表示されている動画用画像を前記加算表示インターバル時間が経過するまで表示するようにしたことを特徴とする。また、前記携帯端末装置において、前記制御手段は、前記加算表示インターバル時間が前記表示応答時間以上である旨を前記比較出力が示すとき、前記加算表示インターバル時間の経過後に、前記各動画用画像のうち前記間引いた各動画用画像以外で次に表示すべき動画用画像を表示するようにしたことを特徴とする。
【００１９】
本発明による画像表示方法は、画像を表示する表示部を含む携帯端末装置における画像表示方法であって、前記表示部の近傍の温度における前記表示部の表示応答時間と動画を構成する各動画用画像の表示インターバル時間とを基に、前記各動画用画像の前記表示部への表示を制御する制御ステップを含み、前記制御ステップは、前記表示応答時間と前記各動画用画像のうち前記表示部に表示されている動画用画像の表示インターバル時間とを比較する比較ステップを有し、その比較結果に応じて前記表示を制御し、前記表示されている動画用画像の表示インターバル時間が前記表示応答時間以上である旨を前記比較結果が示すとき、前記表示されている動画用画像の表示インターバル時間の経過後、前記各動画用画像のうち次に表示すべき動画用画像を表示するようにしたことを特徴とする。
【００２２】
また、前記画像表示方法において、前記制御ステップは、前記表示されている動画用画像の表示インターバル時間より前記表示応答時間が大である旨を前記比較結果が示すとき、前記次に表示すべき動画用画像を間引くようにしたことを特徴とする。また、前記画像表示方法において、前記制御ステップは、間引いた前記次に表示すべき動画用画像の表示インターバル時間を前記表示されている動画用画像の表示インターバル時間に加算し、前記比較ステップは、その加算表示インターバル時間と前記表示応答時間とを比較するようにしたことを特徴とする。
【００２３】
さらに、前記画像表示方法において、前記制御ステップは、前記加算表示インターバル時間が前記表示応答時間以上である旨を前記比較結果が示すまで、順次、前記各動画用画像を間引くと共に間引いた前記各動画用画像の表示インターバル時間を前記加算表示インターバル時間に加算してそれを前記加算表示インターバル時間とするようにしたことを特徴とする。また、前記画像表示方法において、前記制御ステップは、前記加算表示インターバル時間が前記表示応答時間以上である旨を前記比較結果が示すとき、前記表示されている動画用画像を前記加算表示インターバル時間が経過するまで表示するようにしたことを特徴とする。また、前記画像表示方法において、前記制御ステップは、前記加算表示インターバル時間が前記表示応答時間以上である旨を前記比較結果が示すとき、前記加算表示インターバル時間の経過後に、前記各動画用画像のうち前記間引いた各動画用画像以外で次に表示すべき動画用画像を表示するようにしたことを特徴とする。
【００２４】
本発明によるプログラムは、画像を表示する表示部を含む携帯端末装置における画像表示方法をコンピュータに実行させるためのプログラムであって、前記表示部の近傍の温度における前記表示部の表示応答時間と動画を構成する各動画用画像の表示インターバル時間とを基に、前記各動画用画像の前記表示部への表示を制御する制御ステップを含み、前記制御ステップは、前記表示応答時間と前記各動画用画像のうち前記表示部に表示されている動画用画像の表示インターバル時間とを比較する比較ステップを有し、その比較結果に応じて前記表示を制御し、前記表示されている動画用画像の表示インターバル時間が前記表示応答時間以上である旨を前記比較結果が示すとき、前記表示されている動画用画像の表示インターバル時間の経過後、前記各動画用画像のうち次に表示すべき動画用画像を表示するようにしたことを特徴とする。
【００２７】
本発明の作用は次の通りである。画像を表示する表示部の周囲の気温における表示部の表示応答時間と、動画を構成する各動画用画像の表示インターバル時間とを基に、制御手段が各動画用画像の表示部への表示を制御する。より具体的には、比較手段は、表示部周囲の気温での表示応答時間と、現に表示されている動画用画像の表示インターバル時間とを比較して、その比較出力が“表示インターバル時間≧表示応答時間”を示すとき、制御手段は、その表示インターバル時間の経過後に次に表示すべき動画用画像を表示する。また、比較手段の比較出力が“表示インターバル時間＜表示応答時間”を示すとき、制御手段は、上記次に表示すべき動画用画像を間引き、その間引いた動画用画像の表示インターバルを上記表示されている動画用画像の表示インターバル時間に加算する。比較手段は、その加算表示インターバル時間と表示応答時間とを比較する。
【００２８】
また、制御手段は、比較手段の比較出力が“加算表示インターバル時間≧表示応答時間”を示すまで、順次、各動画用画像を間引くと共に間引いた各動画用画像の表示インターバル時間を加算表示インターバル時間に加算して、それを加算表示インターバル時間とするようにし、比較手段の比較出力が“加算表示インターバル時間≧表示応答時間”を示すとき、上記表示されている動画用画像を加算表示インターバル時間が経過するまで表示する。そして、制御手段は、加算表示インターバル時間の経過後に、上記間引いた各動画用画像以外で上記表示されている動画用画像の次に表示すべき動画用画像を表示する。
【００２９】
【発明の実施の形態】
以下に、本発明の実施例について図面を用いて説明する。図１は本発明の実施例による無線携帯端末装置の構成を示すブロック図である。図１において、本発明の実施例による無線携帯端末装置は、アンテナ１と、無線部２と、データ変換部３と、音声処理部４と、レシーバー５と、マイク６と、制御部７と、ＬＣＤ（液晶ディスプレイ）である表示部８と、メモリ９と、サーミスター等からなり、表示部８の近傍に設置されて温度（気温）を検出する温度検出部１０と、キー操作部１１と、タイマー部１２とを有している。
【００３０】
図２は図１の無線携帯端末装置が表示する動画の一例を示す図であり、（ａ）は動画を構成する動画用画像を説明するための図であり、（ｂ）は動画の一例を示す図である。図２（ａ）において、画像本体データ２０は、メモリ９に格納されるものであり、表示の順序を示す画像番号２１と、画像を表示する時間間隔を示す表示インターバル時間（ＤＩＴ）２２と、動画用画像データ（ビットマップ等）２３とを有している。動画用画像データ２３は、ＤＩＴ２２の間、表示部８で画像として表示される。
【００３１】
図２（ｂ）において、６画像からなる動画の一例が示されており、画像本体データ２０−１を構成する動画用画像データ２３−１（画像＃１）の表示インターバル時間２２−１（ＤＩＴ（１））は２００［ｍｓ］であり、画像本体データ２０−２を構成する動画用画像データ２３−２（画像＃２）の表示インターバル時間２２−２（ＤＩＴ（２））は１００［ｍｓ］であり、画像本体データ２０−３を構成する動画用画像データ２３−３（画像＃３）の表示インターバル時間２２−３（ＤＩＴ（３））は１００［ｍｓ］であり、画像本体データ２０−４を構成する動画用画像データ２３−４（画像＃４）の表示インターバル時間２２−４（ＤＩＴ（４））は１００［ｍｓ］であり、画像本体データ２０−５を構成する動画用画像データ２３−５（画像＃５）の表示インターバル時間２２−５（ＤＩＴ（５））は１００［ｍｓ］であり、画像本体データ２０−６を構成する動画用画像データ２３−６（画像＃６）の表示インターバル時間２２−６（ＤＩＴ（６））は４００［ｍｓ］であり、合計１秒間の動画である。それら動画用画像データ２３−１〜２３−６を時間軸上に表したものが図５（ａ）に示されている。なお、図５は図１の表示部における画像の表示を示す図であり、（ａ）は温度を考慮しない場合の表示を示す図である。
【００３２】
図３は温度と表示応答時間との関係テーブルを示す図である。図３において、関係テーブル（関係データ）３０は、温度（気温）とその温度における図１の無線携帯端末装置の表示部８の表示応答時間（表示応答速度）とが対応付けられたデータであり、メモリ９に予め記憶されている。すなわち、温度Ｔが「−２０℃＜Ｔ≦−１０℃」のとき、表示部８の表示応答時間は３００［ｍｓ］であり、温度Ｔが「−１０℃＜Ｔ≦０℃」のとき、表示応答時間は１５０［ｍｓ］であり、温度Ｔが「０℃＜Ｔ≦１０℃」のとき、表示応答時間は１００［ｍｓ］であり、温度Ｔが「１０℃＜Ｔ≦４０℃」のとき、表示応答時間は７５［ｍｓ］であり、温度Ｔが「４０℃＜Ｔ≦８５℃」のとき、表示応答時間は５０［ｍｓ］である。なお、これらの具体的な対応関係は一例であり、表示部８のタイプ／大きさ／駆動電圧等により決まり、携帯端末装置の機種毎に異なるものである。
【００３３】
次に、図１に示した無線携帯端末装置の動作の一例について図面を用いて説明する。図４は図１の無線携帯端末装置の動作の一例を説明するためのフローチャートである。
【００３４】
図１〜４において、制御部７は、予め記憶してある動画を表示する場合、まず画像番号２１−１が“Ｎ＝１”の動画用画像データ２３−１及びＤＩＴ（１）をメモリ９から読み出し、その画像データ２３−１を表示部８へ出力して表示部８に画像＃１を表示させると共に、ＤＩＴ（１）をタイマー部１２にセットする。タイマー部１２はＤＩＴ（１）をカウントする（ステップＳ１，ステップＳ２）。
【００３５】
次に、制御部７は、温度検出部１０が検出した表示部８の近傍の温度情報を読み出し、その値に対応する表示応答時間（ＤＲＴ）をメモリ９に格納されている関係テーブル３０から算出する（ステップＳ３）。
【００３６】
▲１▼まず、温度が常温（２０℃）の場合を説明する。制御部７は、関係テーブル３０よりＤＲＴ（１）を７５［ｍｓ］と算出して、この値をタイマー部１２にセットする（ステップＳ３）。そして、次に表示すべき画像の有無を確認する（ステップＳ４）。ここで、次画像がない場合にはこのフローを終了する（ステップＳ１５）が、この場合は次画像（ここでの次画像は画像＃２である）があるので、ＤＩＴ（１）とＤＲＴ（１）との値を比較する（ステップＳ５）。
【００３７】
画像＃１のＤＩＴ（１）は２００［ｍｓ］、ＤＲＴ（１）は７５［ｍｓ］であり、ＤＩＴ（１）≧ＤＲＴ（１）となるのでステップＳ６へ進み、タイマー部１２がＤＩＴ（１）をカウントアップするのを待つ。カウントアップすると、制御部７は、次画像となる画像データ２３−２及びＤＩＴ（２）を読み出して表示部８に画像＃２を表示させ、ＤＩＴ（２）＝１００［ｍｓ］をタイマー部１２にセットする。タイマー部１２はＤＩＴ（２）をカウントする（ステップＳ７，ステップＳ２）。以降、上述の動作を繰り返して図５（ｂ）に示すように、全画像（画像＃１〜画像＃６）が表示部８に表示されることになる。なお、図５（ｂ）は温度が２０℃の場合の表示を示す図である。
【００３８】
▲２▼次に、温度が低温（−５℃）の場合を説明する。制御部７は、関係テーブル３０よりＤＲＴ（１）を１５０［ｍｓ］と算出して、この値をタイマー部１２にセットする（ステップＳ３）。次画像（ここでの次画像は画像＃２である）が有るので、ＤＩＴ（１）＝２００［ｍｓ］とＤＲＴ（１）＝１５０［ｍｓ］とを比較する（ステップＳ４，ステップＳ５）。
【００３９】
ＤＩＴ（１）≧ＤＲＴ（１）となるのでステップＳ６へ進み、タイマー部１２がＤＩＴ（１）をカウントアップするのを待つ。カウントアップすると、制御部７は、次画像となる画像データ２３−２及びＤＩＴ（２）を読み出して表示部８に画像＃２を表示させ、ＤＩＴ（２）＝１００［ｍｓ］をタイマー部１２にセットする。タイマー部１２はＤＩＴ（２）をカウントする（ステップＳ７，ステップＳ２）。
【００４０】
そして、制御部７は、再び温度検出部１０が検出した温度情報を読み出し、関係テーブル３０よりその温度（−５℃とする）に対応するＤＲＴ（２）を１５０［ｍｓ］と算出して、この値をタイマー部１２にセットする（ステップＳ３）。次画像（ここでの次画像は画像＃３である）が有るので、ＤＩＴ（２）＝１００［ｍｓ］とＤＲＴ（２）＝１５０［ｍｓ］とを比較する（ステップＳ４，ステップＳ５）。
【００４１】
ＤＩＴ（２）＜ＤＲＴ（２）となるのでステップＳ８へ進み、制御部７は、ＤＩＴ（２）に次画像となる画像データ２３−３のＤＩＴ（３）＝１００［ｍｓ］を加算することで、新たなＤＩＴ（加算ＤＩＴ）を算出する（ステップＳ９）。すなわち、ステップＳ９では、新たなＤＩＴはＤＩＴ（３）＋ＤＩＴ（２）＝１００＋１００＝２００［ｍｓ］と求められ、この新たなＤＩＴをＤＩＴ（３）とする。
【００４２】
次に、制御部７は、新たなＤＩＴであるＤＩＴ（３）とＤＲＴ（２）とを比較する（ステップＳ１０）。ＤＩＴ（３）≧ＤＲＴ（２）であるので、制御部７は、タイマー部１２のタイマー値をＤＩＴ（２）からＤＩＴ（３）に置き換え、タイマー部１２はＤＩＴ（３）をカウントする（ステップＳ１１）。
【００４３】
タイマー部１２がＤＩＴ（３）をカウントアップするのを待ち（ステップＳ６）、カウントアップすると、制御部７は、次画像となるはずであった画像データ２３−３を読み出すことなく、すなわち、画像＃３を間引いて、次画像となる画像データ２３−４及びＤＩＴ（４）を読み出して表示部８に画像＃４を表示させ、ＤＩＴ（４）＝１００［ｍｓ］をタイマー部１２にセットする。タイマー部１２はＤＩＴ（４）をカウントする（ステップＳ７，ステップＳ２）。
【００４４】
このように、画像＃２は、そのＤＩＴ（２）の間表示されるのではなく、加算ＤＩＴであるＤＩＴ（３）の間表示され、その経過後に画像＃３をスキップして画像＃４が表示されることになる。以降、上述の動作を繰り返して図５（ｃ）に示すように、画像＃１，画像＃２，画像＃４，画像＃６のみが表示部８に表示され、画像＃３，画像＃５は間引かれることになる。なお、図５（ｃ）は温度が−５℃の場合の表示を示す図である。
【００４５】
▲３▼次に、温度が超低温（−１５℃）の場合を説明する。制御部７は、関係テーブル３０よりＤＲＴ（１）を３００［ｍｓ］と算出して、この値をタイマー部１２にセットする（ステップＳ３）。次画像（ここでの次画像は画像＃２である）が有るので、ＤＩＴ（１）＝２００［ｍｓ］とＤＲＴ（１）＝３００［ｍｓ］とを比較する（ステップＳ４，ステップＳ５）。
【００４６】
ＤＩＴ（１）＜ＤＲＴ（１）となるのでステップＳ８へ進み、制御部７は、ＤＩＴ（１）に次画像となる画像データ２３−２のＤＩＴ（２）＝１００［ｍｓ］を加算することで、新たなＤＩＴを算出する（ステップＳ９）。すなわち、ステップＳ９では、新たなＤＩＴはＤＩＴ（２）＋ＤＩＴ（１）＝１００＋２００＝３００［ｍｓ］と求められ、この新たなＤＩＴをＤＩＴ（２）とする。
【００４７】
次に、制御部７は、新たなＤＩＴであるＤＩＴ（２）とＤＲＴ（１）とを比較する（ステップＳ１０）。ＤＩＴ（２）＝ＤＲＴ（１）であるので、制御部７は、タイマー部１２のタイマー値をＤＩＴ（１）からＤＩＴ（２）に置き換え、タイマー部１２はＤＩＴ（２）をカウントする（ステップＳ１１）。
【００４８】
タイマー部１２がＤＩＴ（２）をカウントアップするのを待ち（ステップＳ６）、カウントアップすると、制御部７は、次画像となるはずであった画像データ２３−２を読み出すことなく、すなわち、画像＃２を間引いて、次画像となる画像データ２３−３及びＤＩＴ（３）を読み出して表示部８に画像＃３を表示させ、ＤＩＴ（３）＝１００［ｍｓ］をタイマー部１２にセットする。タイマー部１２はＤＩＴ（３）をカウントする（ステップＳ７，ステップＳ２）。
【００４９】
そして、制御部７は、再び温度検出部１０が検出した温度情報を読み出し、関係テーブル３０よりその温度（−１５℃とする）に対応するＤＲＴ（３）を３００［ｍｓ］と算出して、この値をタイマー部１２にセットする（ステップＳ３）。次画像（ここでの次画像は画像＃４である）が有るので、ＤＩＴ（３）＝１００［ｍｓ］とＤＲＴ（３）＝３００［ｍｓ］とを比較する（ステップＳ４，ステップＳ５）。
【００５０】
ＤＩＴ（３）＜ＤＲＴ（３）となるのでステップＳ８へ進み、制御部７は、ＤＩＴ（３）に次画像となる画像データ２３−４のＤＩＴ（４）＝１００［ｍｓ］を加算することで、新たなＤＩＴを算出する（ステップＳ９）。すなわち、ステップＳ９では、新たなＤＩＴはＤＩＴ（４）＋ＤＩＴ（３）＝１００＋１００＝２００［ｍｓ］と求められ、この新たなＤＩＴをＤＩＴ（４）とする。
【００５１】
次に、制御部７は、新たなＤＩＴであるＤＩＴ（４）とＤＲＴ（３）とを比較する（ステップＳ１０）。まだ、ＤＩＴ（４）＜ＤＲＴ（３）であるので、ステップＳ１２へ進み、次画像の有無を確認する。次画像（ここでの次画像は画像＃５である）が有るのでステップＳ１３へ進み、制御部７は、ＤＩＴ（４）に次画像となる画像データ２３−５のＤＩＴ（５）＝１００［ｍｓ］を加算することで、さらに新たなＤＩＴを算出する（ステップＳ９）。すなわち、ステップＳ９では、新たなＤＩＴはＤＩＴ（５）＋ＤＩＴ（４）＝１００＋２００＝３００［ｍｓ］と求められ、この新たなＤＩＴをＤＩＴ（５）とする。
【００５２】
そして、制御部７は、新たなＤＩＴであるＤＩＴ（５）とＤＲＴ（３）とを比較する（ステップＳ１０）。ＤＩＴ（５）＝ＤＲＴ（３）であるので、制御部７は、タイマー部１２のタイマー値をＤＩＴ（３）からＤＩＴ（５）に置き換え、タイマー部１２はＤＩＴ（５）をカウントする（ステップＳ１１）。
【００５３】
タイマー部１２がＤＩＴ（５）をカウントアップするのを待ち（ステップＳ６）、カウントアップすると、制御部７は、次画像となるはずであった画像データ２３−４及び２３−５を読み出すことなく、すなわち、画像＃４及び＃５を間引いて、次画像となる画像データ２３−６及びＤＩＴ（６）を読み出して表示部８に画像＃６を表示させ、ＤＩＴ（６）＝４００［ｍｓ］をタイマー部１２にセットする。タイマー部１２はＤＩＴ（６）をカウントする（ステップＳ７，ステップＳ２）。ステップＳ３を経てステップＳ４へ進み、次画像の有無を確認する。次画像はないので、このフローを抜け終了する（ステップＳ１５）。
【００５４】
上述の動作により、図５（ｄ）に示すように、画像＃１，画像＃３，画像＃６のみが表示部８に表示され、画像＃２，画像＃４，画像＃５は間引かれることになる。なお、図５（ｄ）は温度が−１５℃の場合の表示を示す図である。
【００５５】
ところで、図１０の説明で用いた各動画用画像データＤ１〜Ｄ５を図４に示したフロー処理に従って表示部８に表示させると、図６に示すように表示されることとなる（表示応答時間は３００［ｍｓ］としている）。なお、図６は図１０の各動画用画像データの図４の動作例での表示を示す図である。図６では、図１０（ｂ）と異なり、表示インターバル時間の長い動画用画像データＤ１（５００［ｍｓ］）の直後の動画用画像データＤ２が表示される。すなわち、本実施例による無線携帯端末装置では、表示インターバル時間≧表示応答時間となるような表示インターバル時間の長い動画用画像データの直後の動画用画像データは、確実に表示部８に表示されることになる。
【００５６】
また、図６と図１０（ｂ）とを比較すると、オリジナルの表示を示した図１０（ｃ）に近いのは、図６、すなわち、本実施例による無線携帯端末装置での表示であることが分かる。さらに、図６では、表示部８へのデータ設定回数は３回で済んでいるが、図１０（ｂ）では、ＬＣＤに７回データを設定している。このように、本実施例による無線携帯端末装置では、上記第１の公報に記載の技術と比べ、ＬＣＤへのデータ設定回数を削減することができるので、消費電力を低減することができ、電池寿命を気にする携帯端末装置に適しているといえる。
【００５７】
次に、図１に示した無線携帯端末装置の動作の別の例について図面を用いて説明する。図７は図１の無線携帯端末装置の動作の別の例を説明するためのフローチャートであり、図４と同等部分は同一符号にて示している。図７において、図４に示した動作例と相違する点は、制御部７が温度検出部１０の温度情報を読出しＤＲＴを算出する動作を動画再生時の初めの１回のみ行うようにした点である。
【００５８】
すなわち、制御部７は、動画の再生を行うとき、まず、温度検出部１０が検出した表示部８の近傍の温度情報を読み出し、その値に対応するＤＲＴをメモリ９に格納されている関係テーブル３０から算出する（ステップＡ１０）。そして、ステップ１以降へ進んでいくので、最初にＤＲＴを算出すればこのフローが終了するまでＤＲＴ算出動作がなされることはない。これにより、図４に示した動作例に比べ、リアルタイム性には劣るが制御をより簡単なものとすることができる。
【００５９】
次に、図１に示した無線携帯端末装置の動作の更に別の例について図面を用いて説明する。図８は図１の無線携帯端末装置の動作の更に別の例を説明するためのフローチャートであり、図４と同等部分は同一符号にて示している。図８において、図４に示した動作例と相違する点は、ＤＩＴとＤＲＴとの比較の後に動画用画像を表示するようにした点である。
【００６０】
すなわち、制御部７は、次画像の確認を行い（ステップＡ２０）、次画像がある場合、ステップＳ３を経て、ステップＡ３０において表示しようとする画像＃ＮのＤＩＴ（Ｎ）とＤＲＴ（Ｎ）とを比較する（ステップＳ５）。ＤＩＴ（Ｎ）≧ＤＲＴ（Ｎ）であれば、制御部７は、画像データ２３−Ｎを読み出し表示部８に画像＃Ｎを表示させると共に、タイマー部１２にＤＩＴ（Ｎ）をセットし、タイマー部１２がＤＩＴ（Ｎ）をカウントアップする（ステップＡ３０）。
【００６１】
ステップＳ５でＤＩＴ（Ｎ）＜ＤＲＴ（Ｎ）であれば、ステップＳ８へ進み、制御部７は、ステップＳ１１において表示しようとする画像＃ＭのＤＩＴ（Ｍ）をＤＩＴ（Ｍ−１）に加算して、新たなＤＩＴ（Ｍ）とＤＲＴ（Ｎ）とを比較する（ステップＳ９，ステップＳ１０）。ＤＩＴ（Ｍ）≧ＤＲＴ（Ｎ）となると、制御部７は、画像データ２３−Ｍを読み出し表示部８に画像＃Ｍを表示させると共に、タイマー部１２にＤＩＴ（Ｍ）をセットし、タイマー部１２がＤＩＴ（Ｍ）をカウントアップする（ステップＳ１１）。
【００６２】
上述したように、本発明の実施例による無線携帯端末装置の各動作例の説明では、図２（ａ）の画像本体データ２０にＤＩＴ２２が含まれていたが、この情報が含まれていない場合にも上記各動作例を適用することができる。すなわち、表示インターバル時間を予め定められた一定値として扱うか、もしくは、無線回線を介してダウンロードした各動画用画像のダウンロードにかかった時間間隔を表示インターバル時間として扱うことにより、上記各動作例を適用することができるのである。
【００６３】
図９はダウンロードした画像データを温度−１５℃の環境で再生する場合を説明するための図であり、（ａ）は各ダウンロードデータを示す図であり、（ｂ）は各ダウンロードデータのＤＩＴを示す図であり、（ｃ）はそれらの表示部８への表示を示す図である。
【００６４】
図９（ａ）において、時間軸上に表した画像Ｂ〜Ｊの各画像データが無線回線を介して本発明の実施例による無線携帯端末装置に送られてくる。制御部７は、各画像データのダウンロード開始時間とダウンロード終了時間を計測し、その時間間隔を表示インターバル時間とする。図９（ｂ）に各画像データのＤＩＴの値が示されており、この例では、各ＤＩＴは全て１００［ｍｓ］であるとする。
【００６５】
図４に示したフロー処理により、図９（ｃ）に示すように、各画像Ｂ〜Ｊのうち、画像Ｂ，画像Ｅ，画像Ｈのみが表示部８に順次表示され、残りの画像はスキップされることになる。
【００６６】
このように、本発明の実施例による無線携帯端末装置では、表示応答時間が表示インターバル時間より長い（遅い）場合には、コマをスキップするようにしたので、本装置を低温下で使用して動画を再生した場合でも、きれいな動画の再生が実現できる。
【００６７】
また、本発明の実施例による無線携帯端末装置では、きれいな動画の再生を実現するために携帯端末の表示部に工夫を施すようにしたのではないので、使用する表示部８（ＬＣＤ）に汎用タイプ（ＳＴＮ等）のものを使用することができ、よって、コストアップすることなく低温下でのきれいな動画の再生が実現できる。
【００６８】
さらに、本発明の実施例による無線携帯端末装置では、本装置側で動画コマ数を制御するようにしているので、Ｗｅｂアクセス等で動画をダウンロード／再生する場合に、サーバーの負荷を増やすことなく、使用環境に適した動画の再生を行うことができる。
【００６９】
なお、上記図４，図７，図８に示した各フローチャートに従った処理動作は、予めＲＯＭ等の記憶媒体に格納されたプログラムを、ＣＰＵ（制御部）となるコンピュータに読み取らせつつ実行せしめることにより、実現できることは勿論である。
【００７０】
【発明の効果】
本発明による第１の効果は、携帯端末装置を低温下で使用して動画を再生した場合でも、きれいな動画の再生ができることである。その理由は、携帯端末装置の使用時の表示部周囲温度における表示部の表示応答時間が、動画用画像のコマ間隔である表示インターバル時間より長い（遅い）場合には、コマをスキップするようにしたためである。
【００７１】
本発明による第２の効果は、コストアップすることなく低温下でのきれいな動画の再生ができることである。その理由は、きれいな動画の再生を実現するために携帯端末の表示部に工夫を施すようにしたのではないので、使用する表示部に汎用タイプのものを使用できるからである。
【図面の簡単な説明】
【図１】本発明の実施例の無線携帯端末装置の構成を示すブロック図である。
【図２】図１の無線携帯端末装置が表示する動画の一例を示す図であり、（ａ）は動画を構成する動画用画像を説明するための図であり、（ｂ）は動画の一例を示す図である。
【図３】温度と表示応答時間との関係テーブルを示す図である。
【図４】図１の無線携帯端末装置の動作の一例を説明するためのフローチャートである。
【図５】図１の表示部における画像の表示を示す図であり、（ａ）は温度を考慮しない場合の表示を示す図であり、（ｂ）は温度が２０℃の場合の表示を示す図であり、（ｃ）は温度が−５℃の場合の表示を示す図であり、（ｄ）は温度が−１５℃の場合の表示を示す図である。
【図６】図１０の各動画用画像データの図４の動作例での表示を示す図である。
【図７】図１の無線携帯端末装置の動作の別の例を説明するためのフローチャートである。
【図８】図１の無線携帯端末装置の動作の更に別の例を説明するためのフローチャートである。
【図９】ダウンロードした画像データを温度−１５℃の環境で再生する場合を説明するための図であり、（ａ）は各ダウンロードデータを示す図であり、（ｂ）は各ダウンロードデータのＤＩＴを示す図であり、（ｃ）はそれらの表示部８への表示を示す図である。
【図１０】従来の技術を携帯端末装置に適用したときのその動作を説明するための図であり、（ａ）は各動画用画像データのＲＡＭへの展開状態を示す図であり、（ｂ）は従来の技術による各動画用画像データのＬＣＤへの表示を示す図であり、（ｃ）はＬＣＤ近傍の温度を考慮しない場合のＬＣＤへの表示を示す図である。
【符号の説明】
１    アンテナ
２    無線部
３    データ変換部
４    音声処理部
５    レシーバー
６    マイクロホン
７    制御部
８    表示部
９    メモリ
１０    温度検出部
１１    キー操作部
１２    タイマー部
２０，２０−１〜２０−６    画像本体データ
２１，２１−１〜２１−６    画像番号
２２，２２−１〜２２−６    ＤＩＴ
２３，２３−１〜２３−６    画像データ
３０    関係テーブル
【図１】
0004501308.tif 000002
【図２】
0004501308.tif 000003
【図３】
0004501308.tif 000004
【図４】
0004501308.tif 000005
【図５】
0004501308.tif 000006
【図６】
0004501308.tif 000007
【図７】
0004501308.tif 000008
【図８】
0004501308.tif 000009
【図９】
0004501308.tif 000010
【図１０】
0004501308.tif 000011